(57)【要約】【課題】タグリーダを長期的に使用する。【解決手段】鍵を内筒２５に設けた鍵孔２６に挿入すると、鍵のシャンク部の山谷形状の機械的な認証が行われ、一致することで内筒２５の解錠又は施錠位置に向けての回転が許容される。鍵を解錠又は施錠位置に向けて回転すると、その回転がロックピン３２により解錠又は施錠用認証位置で阻止される。内筒２５が認証位置に回転すると、回転位置検出センサ３１によりその位置まで内筒２５が回転したことが検出され、ここで初めてタグリーダ３０の作動がＯＮして、鍵に内蔵した無線ＩＣタグと交信し、電子認証を行う。電子認証が一致すると、ロックピン３２が退避位置に移動され、内筒２５の解錠又は施錠位置への回転が許容される。【選択図】        図３
2006112118.tif 000002
【特許請求の範囲】
【請求項１】
固定な外筒に回転自在に支持されかつ鍵が挿入される鍵孔を備えた内筒を、前記鍵のシャンク部の山谷形状が一致したときに、施錠又は解錠位置に向けて回転させるシリンダ錠と、
前記鍵に内蔵したＩＣタグと交信するＩＣタグリーダを有し、鍵を鍵孔に挿入した後に前記ＩＣタグに予め記憶した認証コードを読み取り、読み取った認証コードと予め決めた基準の認証コードとを認証する電子認証錠と、を備えた錠装置において、
前記内筒に係合する係合位置と、前記係合を解除する解除位置との間で移動自在であり、前記係合位置の時には前記解錠位置又は施錠位置への回転域の途中に設けた認証位置まで前記内筒の回転を許容し、且つ前記内筒の認証位置から施錠又は解錠位置への回転を阻止するロック機構と、
前記内筒が認証位置に回転したときに、前記タグリーダの作動をＯＮする電源手段と、
前記電源手段がタグリーダの作動をＯＮした後に、前記電子認証を行い、読み取った認証コードと基準の認証コードとが一致した場合に、前記ロック機構を解除位置に移動させて前記内筒の認証位置から施錠又は解錠位置への回転を許容する制御手段と、を備えたことを特徴とする錠装置。
【請求項２】
前記ＩＣタグを前記鍵のシャンク部に内蔵したことを特徴とする請求項１記載の錠装置。
【請求項３】
施錠操作時の電子認証後に、次回の解錠操作時に使用する認証コードを生成する生成手段と、前記生成した認証コードを前記ＩＣタグに送ってその認証コードを前記ＩＣタグに更新記録するタグライタと、を備えたことを特徴とする請求項１又は２に記載の錠装置。
【請求項４】
前記外部から特定コードを入力するための入力部と、
前記電子認証に失敗したときに、前記入力部からの入力を許可する許可手段と、を備えていることを特徴とする請求項１ないし３いずれか記載の錠装置。
【請求項５】
前記ＩＣタグとタグリーダとの交信、及び前記電子認証との動作内容を逐次記録する履歴記録手段と、
電子認証後に、前記履歴記録手段により記録した動作内容を、インターネットメールにより予め決めた指定アドレスに送信する手段と、を備えていることを特徴とする請求項１ないし４いずれか記載の錠装置。
【請求項６】
前記解錠又は施錠操作をテレビカメラで撮像して撮像した動画データを記録手段に記録する監視手段と、
少なくとも前記ＩＣタグとタグリーダとの交信、及び前記電子認証との時に、前記監視手段を作動させる監視作動手段と、を備えていることを特徴とする請求項１ないし５いずれか記載の錠装置。
【発明の詳細な説明】
【技術分野】
【０００１】
本発明は、鍵のシャンク部の山谷形状に一致したときに解錠又は施錠を行う機械的認証方式のシリンダ錠と、鍵に記憶した認証コードを電気的に読み取って基準の認証コードに一致したときに解錠又は施錠を行う電子的認証方式の電子錠との両方を備えた錠装置に関するものである。
【背景技術】
【０００２】
シリンダ錠は、内筒・外筒と呼ばれる二つの円筒（シリンダ）からなる。内筒は、外筒に回転自在に収容されており、外部に鍵孔を備えている。例えばピンシリンダ錠には、外筒と内筒とには、内筒に向けてバネに押された複数の金属製のピンが出入り自在に入り込んでおり、前記ピンにより相対回転が阻止されている。鍵孔から鍵を差し込むと、鍵のシャンク部の山谷形状のパターンに応じて各ピンが押し上げられる。各ピンは、連続体ではなく、タンブラーとドライバーピンとの２つに、途中で分割されている。この分割線をシャーラインといい、ロック状態のとき、あるいは間違った鍵を差し込んだときは、シャーラインがずれる。しかし、正しい鍵が差し込まれたときは、内筒と外筒との間に、一直線のシャーラインができる。こうして内筒と外筒との相対回転のロックが外れ、外筒に対して内筒が鍵といっしょに回転し、サムターンを回転させる。
【０００３】
しかし、このような機械的な認証方式であるシリンダ錠は、ピッキングという方法により簡単に解錠されてしまうおそれがあった。そこで、シリンダ錠に電子的認証方式の電子錠を組み込んだタイプが知られている（特許文献１）。このタイプは、電源、センサスイッチ、及び、電子回路を電子鍵に内蔵し、またシャンク部に接点を設け、前記電子回路に予め決めた認証コードを記憶している。電子錠には、錠を構成する内筒と外筒との相対回転を阻止する電磁アクチュエータと、電子鍵から電子錠に伝達される認証コードを照合する電子回路と、電子鍵の挿入を検知して電子回路に電源を供給する電源とを備えている。電子鍵を電子錠に挿入すると、電子鍵側では、センサスイッチが鍵孔への挿入を検知して電源を作動して電子回路を作動させ、電子回路に記憶した認証コードを送る準備を行う。電子錠側では、電子鍵が挿入されると、シャンク部の接点を通して電子鍵から認証コードを電子回路が読み込み、電子回路によってその認証コードをチェックする。したがって、鍵のシャンク部の山谷形状の一致だけでは電子鍵は回らず、その認証コードが正当なコードであれば、制御回路により電子錠内の電磁アクチュエータが駆動され、その電磁アクチュエータの駆動力により電子鍵が回転して電磁錠を施錠又は解錠する。
【０００４】
しかし、前述した電子錠では、電子鍵に電池が必要になり、電池が切れると、交換する手間が必要になる。また、接触式で認証コードを電子鍵から電子錠に読み出すため、接点の劣化や接点にゴミなどが付着することにより導通性が低下する。このようになると、施錠又は解錠が行えなくなる欠点があった。
【０００５】
そこで、認証コードを非接触で読み取ることができ、かつ電子鍵に電池を必要としないパッシブ型の無線ＩＣタグを用いて認証コードを認証する構造のものが知られている（特許文献２、特許文献３）。無線ＩＣタグは、アンテナ、及びＩＣチップとで構成され、ＩＣチップは、ＲＦ回路、及びＥＥＰＲＯＭからなる。ＲＦ回路は、電子錠に設けたタグリーダからの電波をアンテナで受けると、電波に含まれる搬送波成分を整流して直流電流を出力し、その電力を利用してＥＥＰＲＯＭから読み出した認証コードを、アンテナを介して発信する。これにより、電子錠に設けたタグリーダは、電子鍵から非接触で認証コードを読み取ることができ、読み取った認証コードを認証する。
【特許文献１】特開昭６３−９３９７７号公報
【特許文献２】特開２００４−２０６６７７号公報［段落番号００４５］
【特許文献３】特開２００３−１９３７１７号公報
【発明の開示】
【発明が解決しようとする課題】
【０００６】
しかしながら、特許文献３に記載のシリンダ錠は、電子鍵を鍵孔に入れたときに、鍵のシャンク部の山谷形状の一致による機械的な認証と、ＩＣタグに記憶した認証コードの一致による電気的な認証との両方を同時に行って両方が一致した場合のみ施錠又は解錠する。タグリーダは、常に動作しており、電子鍵を鍵孔に奥まで挿入したときに、電波をＩＣタグのアンテナに正常に受信させる。したがって、タグリーダは、常に動作させておく必要がある。このため、電力の消費が多くなるばかりか、タグリーダの使用時間が長くなるため、故障が生じやすく、また、寿命が早く訪れるなどの欠点がある。
【０００７】
本発明は、上記問題を解消するためになされたもので、電力の消費を少なくし、タグリーダを長期的に使用することができる錠装置を提供することにある。
【課題を解決するための手段】
【０００８】
本発明では、内筒に係合する係合位置と、前記係合を解除する解除位置との間で移動自在であり、前記係合位置の時には解錠位置又は施錠位置への回転域の途中に設けた認証位置まで内筒の回転を許容し、且つ内筒の認証位置から施錠又は解錠位置への回転を阻止するロック機構と；内筒が認証位置に回転したときに、鍵に内蔵したＩＣタグと交信を行うタグリーダの作動をＯＮする電源手段と；前記電源手段がタグリーダの作動をＯＮした後に、ＩＣタグに予め記憶した認証コードを読み取り、読み取った認証コードと予め決めた基準の認証コードとを認証する電子認証を行い、読み取った認証コードと基準の認証コードとが一致した場合に、前記ロック機構を解除位置に移動させて内筒の認証位置から施錠又は解錠位置への回転を許容する制御手段と、を備えたものである。
【０００９】
前記ＩＣタグとしては、鍵のうちの鍵孔に差し込まれるシャンク部に内蔵しもよいし、把持部に内蔵してもよい。また、錠装置に用いるＩＣタグとしては、非接触式記録媒体である無線ＩＣタグを用いるのが望ましい。認証コードとしては、複数の文字又は数字を組み合わせた１つのコードとしてもよいし、鍵ごとに決めた識別コードと、ユーザーが任意に決める暗証コードとの２つのコードで構成してもよい。
【００１０】
認証コードを使い続けることはセキュリティとして低い。そこで、使用することに認証コードを自動的に変えるようにしてもよい。この場合には、施錠操作の電子認証後に、次回の解錠操作時に使用する認証コードを生成する生成手段と；前記生成した認証コードを前記ＩＣタグに送ってその認証コードを前記ＩＣタグに更新記録するタグライタと；を備える。
【００１１】
認証コードを更新する場合、新たな認証コードをＩＣタグに書き込み失敗すると、次回から電子認証に失敗する。この対応策として、前記外部から特定コードを入力するための入力部と；電子認証に失敗したときに、前記入力部からの入力を許可する許可手段と；を備えるのが好適である。入力部としては、数値テンキー操作部や指紋センサなどを採用することができる。指紋センサは、指紋をスキャナで読み取り、指紋の画像を電気的信号に変換し、本人認証用の特的コードとして利用する。このような認証失敗用の対応して入力部を用いる例は、使用するごとに認証コードを更新する例に組み合わせることなく、請求項１に記載したように認証コードを長期的に使用する例にも組み合わせてもよい。
【００１２】
鍵は、第三者が悪意を持って使用するおそれがあり、また、メカ的なトラブルに見舞われることもある。そこで、鍵操作の履歴を記録したい。この場合には、ＩＣタグとタグリーダとの交信、及び電子認証との動作内容を逐次記録する履歴記録手段と；電子認証後に、前記履歴記録手段により一連の動作を記録した内容を、インターネットメールにより予め決めた指定アドレスに送信する手段と；を備える。これによれば、指定アドレスを携帯のアドレスに指定すると、解除又は施錠操作が行われたことを遠隔地でリアルタイムに知ることができる。なお、このような動作履歴を確認することができる例は、使用するごとに認証コードを更新する例に組み合わせることなく、請求項１に記載したように認証コードを長期的に使用する例にも組み合わせてもよい。
【００１３】
遠隔地で操作の内容を確認することができても、誰が操作をしたかを特定することができない。そこで、解錠又は施錠操作をテレビカメラで撮像して撮像した動画データを記録手段に記録する監視手段と；少なくともＩＣタグとタグリーダとの交信、及び電子認証との時に、前記監視手段を作動させる監視作動手段と；を備えて、後からテレビカメラで撮像した画像を見ることができるようにするのが望ましい。なお、解錠又は施錠操作を監視する例は、動作履歴を確認することができる例や、使用するごとに認証コードを更新する例に組み合わせることなく、請求項１に記載したように認証コードを長期的に使用する例にも組み合わせてもよい。
【発明の効果】
【００１４】
本発明では、鍵を鍵孔を挿入した位置から認証位置に内筒が回転したときに、電源手段がタグリーダの作動をＯＮし、ここで初めてＩＣタグとの交信を行って電子認証を行うようにしたから、タグリーダの動作を常にＯＮにしておく必要がなく、よって、タグリーダの動作をＯＮ−ＯＦＦする分だけ電力の消費を少なくすることができ、この結果、タグリーダの使用時間が減るため、タグリーダを長期的に使用することができる。
【発明を実施するための最良の形態】
【００１５】
本発明を実施した錠装置は、電子鍵と、電子錠とからなる。電子錠は、機械的認証方式であるシリンダ錠と、無線ＩＣタグを利用して電気的な認証を行う電子錠との両方を備えている。電子鍵１１は、図１に示すように、鍵孔に差し込むシャンク部１２と、差し込むときに把持する把持部１３とからなる。シャンク部１２には、鍵ごとに異なる山谷形状１４が形成されており、また、シャンク部１２の内部には、無線ＩＣタグ１５が内蔵されている。無線ＩＣタグ１５は、アンテナ１６、及びＩＣチップ１７とで構成されている。
【００１６】
ＩＣチップ１７は、図２に示すように、ＲＦ回路１８、及び、ＥＥＰＲＯＭ１９からなる。ＥＥＰＲＯＭ１９には、予め識別コードと暗証コードとから構成される認証コードが記憶されている。識別コードは鍵ごとで異なるコードであり、また暗証コードは、ユーザーが最初に任意に決めるコードである。
【００１７】
ＲＦ回路１８は、詳しくは後述するタグリーダからの電波をアンテナ１６で受けると、電波に含まれる搬送波成分を整流して直流電流を出力し、その電力を利用してＥＥＰＲＯＭ１９から読み出した認証コードをアンテナ１６を介して発信する。
【００１８】
シリンダ錠２０は、図３に示すように、ピンシリンダタイプとなっており、シリンダ２１、複数のピン２２及びバネ２３とからなる。シリンダ２１は、固定の外筒２４と、その内側で回転自在に支持される内筒２５とからなる。内筒２５には鍵孔２６が設けられており、鍵孔２６の端部が外部に露呈している。ピン２２は、タンブラピン２７とドライバピン２８とに分割されており、タンブラピン２７が内筒２５から鍵孔２６の内部に出入りする。各タンブラピン２７がシャンク部１２の山谷形状１４に合わせて押し上げられと、タンブラピン２７とドライバピン２８との分割面が内筒２５と外筒２４とのシャーライン（接触面）に一致して、外筒２４に対する内筒２５の回転が許容される。
【００１９】
錠装置は、外筒２４に対して内筒２５が、電子鍵１１を挿脱する初期位置から時計方向に向けた解錠位置に回転することで解錠し、また初期位置から反時計方向に向けた施錠位置に回転することで施錠する。なお、電子鍵１１を鍵孔２６から抜くときには初期位置に戻すことで行える。
【００２０】
外筒２４には、タグリーダ３０、回転位置検出センサ３１、及びロックピン３２が内蔵して設けられている。タグリーダ３０は、電源部３３から電源供給を受けることで作動し、作動するとアンテナから電波を発信し、交信領域にある無線ＩＣタグ１５に対して２つのコイルの誘導磁束による誘起電圧を利用する電磁誘導方式により交信し、無線ＩＣタグ１５から識別コードと暗証コードとを読み取り、これら識別及び暗証コードとに対応した信号を制御部３４に送る。制御部３４は、受け取った識別及び暗証コードを、予めＲＯＭ３５に記憶した基準の識別及び暗証コードと各々比較して両者が一致したときに移動機構３６を駆動し、ロックピン３２のロックを解除する。なお、ＲＯＭ３５には、基準の識別コード、及び、基準の暗証コードの他に、認証用のプログラムが予め記憶されている。
【００２１】
移動機構３６は、ロックピン３２挿入位置と退避位置とに移動させる。ロックピン３２は、挿入位置のときに内筒２５の外周に設けた溝３７に入り込み、また退避位置のときには溝３７から退避する。
【００２２】
溝３７は、内筒２５の周方向に長く形成されており、ロックピン３２が挿入位置のときに内筒２５の回転範囲を規制する。規制範囲は、初期位置と解除位置との間に設けた解除用認証位置と、初期位置と施錠位置との間に設けた施錠用認証位置との間の回転域となっている。回転位置検出センサ３１は、内筒２５が解除用認証位置及び施錠用認証位置に回転することを検出し、検出信号を制御部３４に送る。制御部３４は、回転位置検出センサ３１から検出信号を受け取ったときに電源部３３を制御してタグリーダ３０の作動をＯＮするとともに、電子認証が一致したときに移動機構３６を制御してロックピン３２を退避位置に移動させ、内筒２５の施錠位置又は解錠位置への回転を許容し、その後に電源部３３を制御してタグリーダ３０の作動をＯＦＦする。
【００２３】
なお、ロック機構をロックピン３２、溝３７、及び移動機構３６とで構成しているが、ロックピンを外筒に、溝を内筒に設けた構成でもよく、また、ロックピンや溝の構成に限らず、これらの代わりに、周知の機構を用いることができる。また、回転位置検出センサ３１の代わりに、内筒２５に設けた突起と、認証位置で前記突起が当接する機械的スイッチとで構成した回転位置検出手段を用いてもよい。
【００２４】
次に図４を参照しながら上記構成の作用を説明する。錠装置の施錠状態は、内筒２５が初期位置の状態、また、ロックピン３２が挿入位置の状態、さらに、タグリーダ３０の作動がＯＦＦしている。この状態から解錠操作を行う場合の説明をする。電子鍵１１を鍵孔２６に挿入すると、まず、シリンダ錠による機械的認証が行われる。この認証は、シャンク部１２の山谷形状１４が一致するか否かで内筒２５の回転を許容するか否かを判断する。機械的認証が一致した場合には、内筒２５の回転範囲のうちの解錠用認証位置までの回転操作が許容される。
【００２５】
電子鍵１１を解錠用認証位置に向けて回転させると、内筒２５も電子鍵１１と一緒に回転する。このとき、ロックピン３２が挿入位置となっているため、ロックピン３２の先端が溝３７の一端に当接する位置で内筒２５の回転が阻止され、ここで電子鍵１１の回転操作も阻止される。この位置が解錠用認証位置となる。
【００２６】
内筒２５が解錠用認証位置に回転すると、この位置を回転位置検出センサ３１で検出される。回転位置検出センサ３１が内筒２５の解錠用認証位置への回転を検出すると、検出信号を制御部３４に送る。制御部３４は、検出信号を受けると、まず、電源部３３を制御してタグリーダ３０の作動をＯＮする。タグリーダ３０の作動がＯＮすると、タグリーダ３０から電波が送信され、タグリーダ３０と無線ＩＣタグ１５とが交信を行う。この交信可能範囲は、タグリーダ３０と無線ＩＣタグ１５との間隔が、鍵孔２６にシャンク部１２が奥まで確実に入り込んだときの間隔になったときの範囲となっている。
【００２７】
これにより、タグリーダ３０は、無線ＩＣタグ１５から識別コードと暗証コードとを読み出し、これらデータを制御部３４に送る。制御部３４は、受け取った識別コードと基準の識別コードとを照合し、また、暗証コードと基準の暗証コードとを認証する電子認証を行う。そして、両者とも一致したときに移動機構３６を制御してロックピン３２を退避位置に移動させ、その後、電源部３３を制御してタグリーダ３０の作動をＯＦＦする。これにより、先のロックピン３２を退避位置に移動することで内筒２５の解錠位置に向けての回転が許容される。よって、その後に、電子鍵１１を解除位置に向けてさらに回転することで錠装置を解錠することができる。
【００２８】
なお、電子認証が一致しない場合には、ロックピン３２を挿入位置にしたまま、電源部３３を制御してタグリーダ３０の作動をＯＦＦする。また、施錠するときには、電子鍵１１の回す方向を逆にするのが違いだけで、動作としては前述したと同じであるため、詳しい説明を省略する。
【００２９】
前述した実施形態では、予め電子鍵１１に記憶した識別コードと暗証コードとを変更せずに長期的に使用する錠装置として説明している。これでは、これら認証コードを長期的に使用するため、セキリティの面で低い。そこで、施錠をするたびに、その後の解錠するときに必要な暗証コードを自動的に変更していく例を図５に示す。
【００３０】
この例では、タグリーダ３０の代わりに、タグリーダ・ライタ４０を使用する。また、制御部４１は、乱数発生プログラムを記憶したＲＯＭ４２を備えており、また、制御部４１にはＲＡＭ４３が接続されている。ＲＡＭ４３は、生成するごとに識別コードに対応付けして暗証コードを記憶する。なお、図５に示す例では、図３で説明した同じ機構には同符号を付与して詳しい説明を省略する。
【００３１】
施錠操作は、図６（Ｂ）に示すように、電子鍵１１を挿入すると、機械的認証が行われ、山谷形状１４が一致した場合に、内筒２５の施錠用認証位置への回転が許容される。電子鍵１１を施錠位置に向けて回転すると、内筒２５の回転が施錠用認証位置で阻止される。このとき、タグリーダ・ライタ４０の作動がＯＮして無線ＩＣタグ１５と交信をする。この交信は、まず、無線ＩＣタグ１５から識別コードと暗唱コードとを読み取り、読み取った識別及び暗唱コードに対して電子認証を行う。電子認証が一致した場合には、暗証コードを生成する。生成した暗証コードは、識別コードに対応付けしてＲＡＭ４３に更新して記憶される。さらに、生成した暗証コードは、無線により無線ＩＣタグ１５に送られ、無線ＩＣタグ１５のＥＥＰＲＯＭ１９に更新して記録される。その後、制御部４１は、移動機構３６を作動してロックピン３２を解除位置に移動して内筒２５の施錠位置への回転を許容する。
【００３２】
解錠する場合には、図６（Ａ）に示すように、機械的認証の後に、電子鍵１１を解錠用認証位置まで回転させ、ここでタグリーダ・ライタ４０を作動して電子鍵１１の識別コードと、前回生成した暗証コードとを読み取り、これらをＲＡＭに記憶した識別コードと暗証コードとでそれぞれ比較して電子認証を行う。そして、両者が一致した場合には、ロックピン３２を退避位置に移動し、内筒２５の解錠位置への回転を許容する。なお、解錠位置への回転を許容した後には、タグリーダ・ライタ４０の作動をＯＦＦする。これによれば、施錠するごとに暗証コードを生成するため、電子鍵１１のコピーを作成するのが難しく、また、鍵製造メーカーからの情報漏れがあっても問題はない。
【００３３】
図５で説明した実施形態は、施錠をするときに、新たな暗証コードを電子鍵１１に書き込む例であるが、この例では、万が一書き込み時の不都合により間違った暗証コードが電子鍵１１に記録されて、解錠時の電子認証に失敗するおそれがある。そこで、図７及び図８に示す例では、電子認証に失敗し、解錠ができなくなったときに、正しい識別コードを入力する入力部を備えた例である。入力部としては、数値テンキー５０を用いる。数値テンキー５０は、操作面がドアの外側に露呈して設けられ、入力信号は制御部５１に送られる。
【００３４】
制御部５１は、通常は電源部５２を制御して数値テンキー５０を非作動としており、電子認証を失敗したときに、電源部５２を制御して数値テンキー５０の作動をＯＮし、数値テンキー５０から入力された識別コードがＲＡＭ４３に記憶した識別コードに一致したときにロックピン３２の解除を行う。数値テンキー５０からの入力回数は、制御部５１に接続したカウンタ５３でカウントされ、５回続けて識別コードの認証を失敗すると数値テンキー５０の作動、及びタグリーダ・ライタ４０の作動をそれぞれＯＦＦして終了する。
【００３５】
なお、図８で説明した例では、施錠操作も同じように、電子認証に失敗したときに、電源部５２を制御して数値テンキー５０の作動をＯＮし、数値テンキー５０から入力された識別コードがＲＡＭ４３に記憶した識別コードに一致したときに、新たな暗証コードを生成し、生成した暗証コードを識別コードに対応付けしてＲＡＭ４３に更新記録するとともに、生成した暗証コードを電子鍵１１に送って更新記録してから、ロックピン３２の解除を行う。このようにすれば、前回電子鍵１１への書き込みを失敗したとしても、今回の書き込みにより正常に書き込まれる可能性があるので、次回からは通常通り電子鍵１１だけの操作で行える。
【００３６】
なお、高いセキュリティが要求される場合には、数値テンキー５０の代わりに、入力部として指紋センサーを採用し、指紋認識により解錠又は施錠を行うようにしてもよい。
【００３７】
上記各実施形態では、いつどこで施錠又は解錠操作が行われたか調べることができない。そこで、図９に示す例では、セキュリティ管理や保守管理のために、解錠及び施錠などの動作の履歴を記録してインターネットメールを利用して錠装置の動作の履歴をリアルタイムで知ることができるようにしている。図９に示すように、ＲＯＭ６０には、メール送信用のアプリケーションソフトが予め記憶されており、制御部６１は、錠装置の操作を監視し、動作の内容をＲＡＭ６２に逐次記録し、施錠又は解錠の動作終了後に動作の内容をまとめてインターネットメールに記録してそのメールを携帯電話などに送る。
【００３８】
制御部６１には、通信Ｉ／Ｆ６３を介してモデム６４が接続されている。モデム６４には、公衆回線やケーブルテレビなどの電気通信回線が接続されている。また、ＲＡＭ６２には、メールアドレスが記憶されている。このアドレスは、操作部６５からメール送信用のアプリケーションソフトを起動して表示部６６に表示される設定画面から入力することでＲＡＭ６２に登録することができる。
【００３９】
施錠時には、図１０に示すように、機械的認証の一致後に、電子鍵１１が施錠用認証位置に回され、この位置で無線ＩＣタグ１５の検知が行われ、その後に電子認証が行われる。そして、電子認証が一致した場合には、次回に使用する新たな暗証コードが生成され、その暗証コードを無線ＩＣタグ１５に書き込む。そして、電子認証が一致した場合には、ロックピンが退避位置に移動され、施錠が行われる。
【００４０】
制御部６１は、これら一連の動作を監視し、各動作を行った後にその内容をＲＡＭ６２に逐次記録しておく。この内容は、無線ＩＣタグ１５との交信が成功か失敗か、電子認証が成功か失敗か、及び、暗証コードの書き込みが成功か失敗かという内容となっている。そして、施錠後に、メールアプリケーションを起動してそれら一連の動作の内容をメールに記録し、そのメールを予め設定したメールアドレスに送る。
【００４１】
解錠操作時も、図１１に示すように、無線ＩＣタグ１５との交信が成功か失敗か、及び、電子認証が成功か失敗かという内容をメールに記録して指定先のアドレスに送る。なお、制御部６１は、回転位置検出センサ３１が検出する施錠又は解錠用の認証位置からその時点の操作が、施錠か又は解錠かの操作を判断し、施錠か又は解錠かの操作の内容などの付加的情報もメールに記載するのが望ましい。なお、ＲＡＭ６２やＲＯＭ６０の代わりに、インターフェースを介してハードディスクなどのストレージ機器を接続して用いてもよい。
【００４２】
図９で説明した例では、メールを受け取ることでいつどこで何の操作が行われた知ることができるのに対し、誰が操作を行ったかを知ることができない。そこで、図１２に示す例では、監視用のテレビカメラ（以下、「カメラ」と称す）７０を用いている。カメラ７０は、電子鍵１１を操作する人の顔を撮像することができる位置に配されている。カメラ７０で撮影した撮像信号は、通信Ｉ／Ｆ７１を介して制御部７２に送られる。制御部７２には、エンコーダ回路７３、デコーダ回路７４、及び記録部７５などが接続されている。撮像信号は、エンコーダ回路７３で圧縮されて撮像データとして記録部７５に記録される。なお、撮像データは、撮像画像にその時点の年月日及び時刻を合成した動画データとなっている。また、図示していないが、制御部７２には、図９で説明した通信Ｉ／Ｆ６３やモデム６４が接続され、制御部７２は、図９で説明したと同じに一連の動作内容をインターネットメールで指定アドレスに送る。
【００４３】
カメラ７０の駆動は制御部７２が制御する。制御部７２は、図１３及び図１４に示すように、通常は電源部７６を制御してカメラ７０を非作動にしており、無線ＩＣタグ１５との電子的認証を行ったときに電源部７６を制御してカメラ７０を作動させる。そして、ロックピン３２を退避位置に移動した後に、カメラ７０の録画を終了する。記録した撮像データは、操作部７７から再生操作を行うことで表示部７８に再生することができる。このとき、撮像データは、デコーダ回路７４を通して伸長される。これにより、受け取ったメールの内容から、その時点の映像を見て、後から操作者を特定することができる。なお、カメラ７０での録画は、無線ＩＣタグ１５との電子認証を行ったとき、及び、無線ＩＣタグ１５に暗証コードを書き込んだときなど、各動作時点を細切れに録画してもよい。
【００４４】
上記各実施形態では、シリンダ錠としてピンシリンダを採用しているが、本発明ではこれに限らず、ピンシリンダの代わりに、ディスクシリンダ、ロータリディスクシリンダ、マグネットシリンダなどの何れかひとつをシリンダ錠として採用することができる。
【図面の簡単な説明】
【００４５】
【図１】本発明の錠装置で用いる電子鍵を示す説明図である。
【図２】電子鍵に内蔵した無線ＩＣタグの電気的構成を示すブロック図である。
【図３】錠装置を構成するシリンダの概略を示す説明図であり、（Ａ）は外部から見た正面図、（Ｂ）はその断面図である。
【図４】図１及び図３で説明した錠装置の動作手順を示すフローチャート図である。
【図５】タグリーダ・ライタを用いて使用することに認証コードを更新する例を示す説明図である。
【図６】図５で説明した例の動作手順を示すフローチャート図であり、（Ａ）は解錠操作時、（Ｂ）は施錠操作時である。
【図７】電子認証を失敗したときの対応として数値テンキーから暗証コードを入力するようにした例を示す説明図である。
【図８】図７で説明した例の解錠操作及び施錠操作の動作手順を示すフローチャート図である。
【図９】錠装置の動作の内容をインターネットメールで指定のアドレスに送るようにした例を示す説明図である。
【図１０】図９で説明した例の施錠操作の動作手順を示すフローチャート図である。
【図１１】図９で説明した例の解錠操作の動作手順を示すフローチャート図である。
【図１２】操作者をテレビカメラで録画するようにした例を示す説明図である。
【図１３】図１２で説明した例の解錠操作の動作手順を示すフローチャート図である。
【図１４】図１２で説明した例の施錠操作の動作手順を示すフローチャート図である。
【符号の説明】
【００４６】
１１  電子鍵
１２  シャンク部
１５  無線ＩＣタグ
２４  外筒
２５  内筒
２６  鍵孔
３０  タグリーダ
３２  ロックピン
４０  タグリーダ・ライタ
【図１】
2006112118.tif 000003
【図２】
2006112118.tif 000004
【図３】
2006112118.tif 000005
【図４】
2006112118.tif 000006
【図５】
2006112118.tif 000007
【図６】
2006112118.tif 000008
【図７】
2006112118.tif 000009
【図８】
2006112118.tif 000010
【図９】
2006112118.tif 000011
【図１０】
2006112118.tif 000012
【図１１】
2006112118.tif 000013
【図１２】
2006112118.tif 000014
【図１３】
2006112118.tif 000015
【図１４】
2006112118.tif 000016